(57)【要約】【課題】両側部位が縦横に変位した場合にも、クリアランスを確実に覆うことのできるエキスパンションジョイント装置の提供。【解決手段】クリアランス３の床部分を床部カバー４で覆う。クリアランス３の両側に縦可動支持部５及び横可動支持部６を設ける。縦可動支持部５により、床部カバー４を縦スライド自在に支持する。横可動支持部６により、床部カバー４を横スライド自在に支持する。床部カバー４の横方向端部に重ねて補助カバー７を設ける。補助カバー７を縦可動支持部５に対して横スライド自在とする。補助カバー７を横可動支持部６に対して横スライド不能とする。補助カバー７を伸縮自在とする。クリアランス３の両側が縦横方向に相対的に変位する際、補助カバー７が、床部カバー４の側方に生じる欠損部２４を覆う。【選択図】  図１０
2017043912.tif 000002
【特許請求の範囲】
【請求項１】
建築物のエキスパンションジョイント部のクリアランスの床部分を覆う床部カバーを備えたエキスパンションジョイント装置であって、
前記床部カバーは、前記クリアランスの床部分を挟む両側部位に設けられた縦可動支持部及び横可動支持部のうち、縦可動支持部により、ジョイント伸縮方向と平行な縦方向への縦スライド自在に支持されると共に、横可動支持部により、ジョイント伸縮方向と交差する横方向への横スライド自在に支持され、
前記床部カバーの横方向端部に重なる位置に補助カバーが設けられ、該補助カバーは、前記クリアランスの床部分を挟む両側部位のうちの縦可動支持部を設けた側に横スライド自在に取り付けられると共に、横可動支持部を設けた側に横スライド不能に取り付けられ、前記縦方向に沿って伸縮自在とされたことを特徴とするエキスパンションジョイント装置。
【請求項２】
前記補助カバーは、複数枚の板部材を縦方向へのスライドを可能に重ねた構造とされたことを特徴とする請求項１に記載のエキスパンションジョイント装置。
【請求項３】
前記板部材は、横方向両側を一対の支持フレームに支持され、縦方向に隣接する板部材の支持フレームが縦方向へのスライドを可能に接続されたことを特徴とする請求項２に記載のエキスパンションジョイント装置。
【請求項４】
互いに接続される前記支持フレームのスライド可能な接続部分に、中心軸を支持フレームのスライド方向と平行に設定されたスライドピンが介装され、前記支持フレーム及びスライドピンが異種金属から形成されたことを特徴とする請求項３に記載のエキスパンションジョイント装置。
【請求項５】
前記複数の板部材の支持フレームが横方向で内側又は外側に順に重ねられたことを特徴とする請求項３又は４に記載のエキスパンションジョイント装置。
【請求項６】
エキスパンションジョイント部のクリアランスのうち、前記床部分の横方向端部から立ち上がる壁部分を覆う壁部カバーが設けられ、該壁部カバーは、前記クリアランスを挟む両側部位の横方向の相対変位に追随して傾斜可能とされたことを特徴とする請求項１〜５のいずれかに記載のエキスパンションジョイント装置。
【発明の詳細な説明】
【技術分野】
【０００１】
本発明は、例えば免震構造の建築物のエキスパンションジョイントに用いるエキスパンションジョイント装置に関するものである。
【背景技術】
【０００２】
一般に、免震構造や複雑な構造の建築物などでは、その周囲に外溝を構成して地面と分離したり、建築物自体を複数のブロックに分割したりすると共に、これらをエキスパンションジョイントによって接続し、地震や気温の変化、不同沈下などの影響をエキスパンションジョイント部で吸収することが多い。特に、免震構造の建築物では、地震時に、建築物と地面との間やブロック間に大きな相対変位が生じやすく、この大きな相対変位をエキスパンションジョイント部で吸収するようにしている。
【０００３】
エキスパンションジョイントは、建築物と地面とを、あるいはブロック同士をその相対変位に追従可能に接続する接続手法であり、建築物と地面との間やブロック間に、相対変位を吸収可能な大きさのクリアランスを形成すると共に、床面などに露出するクリアランスをその両側部位の相対変位に追従可能なエキスパンションジョイント装置で覆うようにしている。
【０００４】
このようなエキスパンションジョイント装置として、例えば特許文献１は、躯体１０１、１０２の間隙を閉鎖する床カバー板１０３をスライド移動自在に設置すると共に、床カバー板１０３の下側に欠損カバー装置（補助カバー）１０４を設けた構造を開示している（図１１参照）。
【０００５】
欠損カバー装置１０４は、両側の躯体１０１、１０２に、ビーム材１０５で連結した固定枠板１０６と滑動枠板１０７とを取り付け、両枠板１０６、１０７に複数の伸縮体１０８を取り付けた構造とされる。この欠損カバー装置１０４は、Ｘ方向（縦方向）の大きな伸縮を許容しつつ、床カバー板１０３がＹ方向（横方向）にスライド移動した際に、床カバー板１０３の側方に生じて躯体１０１、１０２の間隙を露出させる欠損部１０９を伸縮体１０８によって閉鎖する。
【０００６】
特許文献１のエキスパンションジョイント装置は、躯体１０１、１０２の間隙が狭まることにより、床カバー板１０３がＸ方向にスライドすると共に、Ｙ方向の中央側への滑動枠板１０７のスライド移動を伴って、欠損カバー装置１０４が折り畳まれる（図１２（ａ）参照）。また、躯体１０１、１０２の間隙が広がることにより、床カバー板１０３がＸ方向にスライドすると共に、Ｙ方向の外側への滑動枠板１０７のスライド移動を伴って、欠損カバー装置１０４が拡張する（図１２（ｂ）参照）。
【０００７】
また、躯体１０１、１０２がＹ方向にずれた場合には、床カバー板１０３がＹ方向にスライドすると共に、欠損カバー装置１０４が、その滑動枠板１０７をＹ方向にスライドさせて当初の取り付け形状を維持し、床カバー板１０３のスライド移動に伴って側方に生じる欠損部１０９を閉鎖する（図１２（ｃ）参照）。
【先行技術文献】
【特許文献】
【０００８】
【特許文献１】特開２００４−１５６３０５（段落番号０００７、０００８、００２１〜００２３、図１、図７〜図９）
【発明の概要】
【発明が解決しようとする課題】
【０００９】
ところで、特許文献１のエキスパンションジョイント装置は、クリアランス（間隙）が縦方向に伸縮することによって、補助カバー（欠損カバー装置）の形状を変化させながら、滑動枠板が横方向にスライドする構造であるので、床部カバーの側方の欠損部を覆う伸縮体が所定の位置から横方向に大きく移動することがある。
【００１０】
したがって、クリアランスを挟む両側部位が単に横方向に相対変位しただけの場合には、床部カバーの側方の欠損部を補助カバーによって覆うことができるものの、横方向の変位に加えて、クリアランスが縦方向に伸縮した場合には、補助カバーによって欠損部を覆うことができず、クリアランスを露出させるおそれがある。
【００１１】
本発明は、両側部位が縦横に変位した場合にも、クリアランスを確実に覆うことのできるエキスパンションジョイント装置の提供を目的とする。
【課題を解決するための手段】
【００１２】
上記目的を達成するために、本発明に係るエキスパンションジョイント装置は、建築物のエキスパンションジョイント部のクリアランスの床部分を覆う床部カバーを備え、その床部カバーを、クリアランスの床部分を挟む両側部位に設けた縦可動支持部及び横可動支持部のうち、縦可動支持部により、ジョイント伸縮方向と平行な縦方向への縦スライド自在に支持すると共に、横可動支持部により、ジョイント伸縮方向と交差する横方向への横スライド自在に支持したものである。さらに、床部カバーの横方向端部に重なる位置に補助カバーを設け、この補助カバーを、クリアランスの床部分を挟む両側部位のうちの縦可動支持部を設けた側に横スライド自在に取り付けると共に、横可動支持部を設けた側に横スライド不能に取り付け、縦方向に沿って伸縮自在としたものである。
【００１３】
上記構成によれば、クリアランスを挟む両側部位のうちの一方で、床部カバーを横スライド不能である縦スライド自在に支持すると共に、補助カバーを横スライド自在に支持し、また、両側部位のうちの他方で、床部カバーを横スライド自在に支持すると共に、補助カバーを横スライド不能に支持している。
【００１４】
これにより、クリアランスを挟む両側部位が横方向に相対的に変位する際、床部カバーが両側部位の一方と一体的に変位し、補助カバーが両側部位の他方と一体的に変位する。
この横方向の変位に伴って、床部カバーが両側部位の他方に対して位置ずれし、その側方に、床部カバーによる覆い機能の欠損を生じるが、その欠損部を、床部カバーの横方向端部に重ねていた補助カバーで覆うことができ、欠損部からクリアランスが露出するのを防止することができる。
【００１５】
しかも、補助カバーを縦方向に沿って伸縮自在とするので、補助カバーを横方向に移動させることなく、クリアランスを挟む両側部位のうちの他方に対する所定の位置を維持したまま、クリアランスの縦方向の伸縮に追随することができる。これにより、クリアランスを挟む両側部位が縦横に同時に変位した場合にも、補助カバーで欠損部を確実に覆って、欠損部からクリアランスが露出するのを防止することができる。
【００１６】
また、補助カバーを、複数枚の板部材を縦方向へのスライドを可能に重ねた構造としてもよい。
【００１７】
この構成によると、複数枚の板部材で補助カバーを構成するので、複数の棒状部材を並べた従来の構造の補助カバーのような部材間の隙間を生じることなく、欠損部を完全に塞ぐことができる。しかも、補助カバーの枚数を適宜増加させることにより、従来の構造の補助カバーのように横方向に変形させることなく、その伸縮量を十分に増大させることができる。
【００１８】
また、板部材の横方向両側を一対の支持フレームに支持し、縦方向に隣接する板部材の支持フレームを縦方向へのスライドを可能に接続するようにしてもよい。
【００１９】
この構成によると、支持フレームで板部材の横方向両側を支持するので、補助カバーの強度を十分に高めることができ、しかも、支持フレーム同士をスライド可能に接続するので、比較的に弱点になりやすい接続部を十分な強度の支持フレームに設定して、エキスパンションジョイント装置の安全性を高めることができる。
【００２０】
また、互いに接続される支持フレームのスライド可能な接続部分に、中心軸を支持フレームのスライド方向と平行に設定されたスライドピンを介装し、支持フレーム及びスライドピンを異種金属から形成するようにしてもよい。
【００２１】
この構成によると、支持フレーム同士の接続部分にスライドピンを介装するので、支持フレーム及びスライドピンの素材をそれぞれの部材に求められる機能に応じて適宜選択することができる。しかも、支持フレーム及びスライドピンを例えば硬さの異なる異種金属から形成するので、支持フレームとスライドピンとの摩擦係数を小さくして滑りやすくすることができる。これにより、支持フレームをその強度や重量などに着目して部材性能を設定しつつ、スライドピンを介装しただけの簡単な構成によって支持フレームの接続部分のスライド性能を高めることができる。
【００２２】
また、複数の板部材の支持フレームを横方向で内側又は外側に順に重ねるようにしてもよい。
【００２３】
この構成によると、補助カバーの支持フレームを横方向に順に重ねるので、補助カバーの側縁部を全体として傾斜させて、欠損部の傾斜形状に近づけることができ、補助カバーで欠損部を効率的に覆うことができる。
【００２４】
また、エキスパンションジョイント部のクリアランスのうち、床部分の横方向端部から立ち上がる壁部分を覆う壁部カバーを設け、この壁部カバーを、クリアランスを挟む両側部位の横方向の相対変位に追随して傾斜可能としてもよい。
【００２５】
この構成によると、クリアランスを挟む両側部位の横方向の相対変位に追随する壁部カバーを設けるので、欠損部を床部カバーの側縁と壁部カバーとで囲まれる範囲に設定することができ、この範囲を補助カバーで覆うことにより、エキスパンションジョイント装置の安全性をより確実に高めることができる。
【発明の効果】
【００２６】
以上のとおり、本発明によると、クリアランスを挟む両側部位のうち、床部カバーを横スライド不能とした側に対して、補助カバーを横スライド自在とし、床部カバーを横スライド自在とした側に対して、補助カバーを横スライド不能としている。これにより、床部カバーが横方向に位置ずれしても、その側方に生じる欠損部を補助カバーで覆うことができ、欠損部からクリアランスが露出するのを防止することができる。
【００２７】
しかも、補助カバーを縦方向に沿って伸縮自在とするので、補助カバーの横方向における位置を維持したまま、クリアランスの縦方向の伸縮に追随させることができ、クリアランスを挟む両側部位が縦横に同時に変位した場合にも、補助カバーで欠損部を確実に覆うことができる。
【図面の簡単な説明】
【００２８】
【図１】本発明に係るエキスパンションジョイント装置の要部平面図
【図２】エキスパンションジョイント装置の縦断面図
【図３】縦可動支持部の縦断面図
【図４】横可動支持部の拡大断面図
【図５】補助スライド部の拡大断面図
【図６】補助カバーの平面図
【図７】補助カバーの横断面図
【図８】補助カバーの板部材の断面図
【図９】横方向の変位を示すエキスパンションジョイント装置の要部平面図
【図１０】縦横方向の変位を示すエキスパンションジョイント装置の要部平面図
【図１１】従来のエキスパンションジョイント装置の平面図
【図１２】従来のエキスパンションジョイント装置の変位を示す平面図
【発明を実施するための形態】
【００２９】
以下、本発明に係るエキスパンションジョイント装置を実施するための形態について、図面を用いて説明する。
【００３０】
図１〜図５に示すように、エキスパンションジョイント装置１は、例えば、免震構造の建築物のエキスパンションジョイント部２のクリアランス３を覆うものであり、クリアランス３の床部分を覆う床部カバー４を、クリアランス３の床部分を挟む両側部位に設けられた縦可動支持部５及び横可動支持部６で支持し、床部カバー４の横方向端部の下方に重なる位置に補助カバー７を設けたものである。
【００３１】
床部カバー４は、例えば金属製で薄い箱形状の長方形盤とされ、縦可動支持部５により、ジョイント伸縮方向と平行な縦方向への縦スライド自在に支持されると共に、横可動支持部６により、ジョイント伸縮方向と交差する横方向への横スライド自在に支持される。この床部カバー４は、クリアランス３の床部分の全体を覆うよう、横方向の長さをクリアランス３の床部分と同程度に設定され、地震による建築物の変位で広がったクリアランス３をも覆うよう、縦方向の長さをクリアランス３よりも十分に長く設定されている。
【００３２】
縦可動支持部５は、例えば金属製で、クリアランス３に隣接する部位に配設されると共に、その上面を周囲の床面とほぼ面一に設定された薄い箱形状とされ、そのうちのクリアランス３に対向する端面が開口されている。縦可動支持部５の開口には、端部下面側に球体付きの複数のスライド装置８を装着された床部カバー４の端部が侵入し、この床部カバー４が縦可動支持部５の内部を縦スライドするようになっている。
【００３３】
縦可動支持部５の内部に侵入した床部カバー４の端面は、スライド補強材９を介在させつつ直列に接続された複数のコイルばね１０によって、縦可動支持部５のうちのクリアランス３と反対側の端面に連結されている。
【００３４】
スライド補強材９は、例えば金属製で、横方向に配向されると共に、縦方向にスライド自在とされた断面略長方形の長尺部材とされ、その高さを縦可動支持部５の内部空間と同程度に設定されて、縦可動支持部５を内部から補強する。このスライド補強材９は、床部カバー４の端部が縦可動支持部５の内部を縦スライドする際、コイルばね１０の付勢力によって、床部カバー４と縦可動支持部５の端面との間における位置を調整される。
【００３５】
横可動支持部６は、横方向に配向されると共に、クリアランス３を挟んで縦可動支持部５とは反対側に設けられた例えば金属製で断面Ｕ形のスライドレールとされ、クリアランス３に面する部位に取り付けられた支持金具１１に固定されている。この横可動支持部６には、床部カバー４の端部の下面側に装着された球体付きの複数のスライド装置１２が侵入し、床部カバー４が横可動支持部６に沿って横スライドするようになっている。
【００３６】
補助カバー７は、縦方向に沿って伸縮自在で、全体として側縁が傾斜する台形盤とされ、クリアランス３を挟んで縦可動支持部５を設けた側に横スライド自在に取り付けられると共に、横可動支持部６を設けた側に横スライド不能に取り付けられている。
【００３７】
図６〜図８に示すように、補助カバー７は、例えば金属製で逆Ｕ形の板部材１３の横方向両側を支持フレーム１４、１５で支持すると共に、複数枚の板部材１３を小形のものから順に外側に重ねた構造とされ、隣接する板部材１３を縦方向にスライドさせることにより、全体として縦方向に伸縮する。
【００３８】
支持フレーム１４、１５は、例えば金属製の断面略長方形で、高さ方向寸法が大きい支持フレーム１４又は小さい支持フレーム１５とされ、大小の支持フレーム１４、１５が、隣接する板部材１３の下端に交互に取り付けられて、内側から順に横方向で外側に重ねられている。支持フレーム１４、１５の上下面には、フランジ１６が両側に突設され、スライドピン１７を介在させつつフランジ１６をラップさせることにより、隣接する板部材１３の支持フレーム１４、１５が縦方向へのスライドを可能に接続されている。
【００３９】
スライドピン１７は、例えば、支持フレーム１４、１５とは硬さの異なる異種金属で形成された断面円形の棒材とされ、支持フレーム１４、１５よりも長さを短く設定されている。
【００４０】
補助カバー７を構成する板部材１３のうち、一方の端部の板部材１３には、水平に突出する固定片１８が形成され、この固定片１８を横可動支持部６の支持金具１１に固定することにより、補助カバー７が横スライド不能に取り付けられている。
【００４１】
補助カバー７を構成する板部材１３のうち、他方の端部の板部材１３には、その縦方向外方から下向きに突出すると共に、下端にスライド面を構成するよう折り曲げられたスライド片１９が形成されている。スライド片１９は、縦可動支持部５を設けた側でクリアランス３に面する部位に取り付けられた断面略Ｃ形の補助スライドレール２０に係合され、スライド片１９及び補助スライドレール２０により、補助カバー７を横スライド自在に支持する補助スライド部２１が構成されている。
【００４２】
エキスパンションジョイント部１のクリアランス３のうち、床部分の横方向端部から立ち上がる壁部分は、壁部カバー２２によって覆われ、この壁部カバー２２が、クリアランス３を挟む両側部位の横方向の相対変位に追随して傾斜可能とされている。壁部カバー２２は、例えば、縦方向に分割した構造とされ、縦方向の相対変位にも追随可能とされている。
【００４３】
次に、クリアランス３の両側部位が相対変位する際のエキスパンションジョイント装置１の動作を説明する。
【００４４】
図９に示すように、クリアランス３を挟んで両側部位が横方向に相対変位する場合、床部カバー４が、縦可動支持部５と一体的に横方向に変位すると共に、横可動支持部６に沿って横スライドすることによって横方向のずれに追随し、壁部カバー２２が、傾斜することによって横方向のずれに追随する。
【００４５】
補助カバー７は、補助スライド部２１により、縦可動支持部５を設けた側に対して横スライドして横方向のずれに追随すると共に、横可動支持部６を設けた側と一体的に変位することによって、床部カバー４の側方に移動する。
【００４６】
この状態において、床部カバー４の側縁と壁部カバー２２とで囲まれた範囲に、床部カバー４で覆われることなく、床部カバー４による覆い機能が欠損する略三角形の欠損部２３が生じるが、この欠損部２３を補助カバー７が隙間なく覆って、クリアランス３が露出するのを阻止している。しかも、欠損部２３は、その側縁が傾斜した略三角形であり、側縁が傾斜する台形の補助カバー７によって効率よく覆われる。
【００４７】
図１０に示すように、クリアランス３を挟んで両側部位が縦方向及び横方向に相対変位する場合、床部カバー４が、縦可動支持部５を縦スライドして縦方向のずれに追随し、縦可動支持部５と一体的に横方向に変位すると共に、横可動支持部６に沿って横スライドすることによって横方向のずれに追随する。壁部カバー２２は、その分割部位がスライドすることによって縦方向のずれに追随し、傾斜することによって横方向のずれに追随する。
【００４８】
補助カバー７は、それ自身の伸縮機能のみによって縦方向のずれに追随し、補助スライド部２１により、縦可動支持部５を設けた側に対して横スライドして横方向のずれに追随し、横可動支持部６を設けた側と一体的に変位することによって、床部カバー４の側方に移動する。
【００４９】
この状態においても、床部カバー４の側縁と壁部カバー２２とで囲まれた範囲に、床部カバー４で覆われることなく、床部カバー４による覆い機能が欠損する略三角形の欠損部２４が生じるが、この欠損部２４を補助カバー７が隙間なく覆って、クリアランス３が露出するのを阻止している。しかも、補助カバー７が、それ自身の伸縮機能のみによって縦方向のずれに追随し、縦方向の変位に伴う横方向の移動がないので、両側部位の横方向の相対変位に対応する分だけ横方向に移動して、欠損部２４を確実に覆う。
【符号の説明】
【００５０】
１      エキスパンションジョイント装置
２      エキスパンションジョイント部
３      クリアランス
４      床部カバー
５      縦可動支持部
６      横可動支持部
７      補助カバー
８      スライド装置
９      スライド補強材
１０    コイルばね
１１    支持金具
１２    スライド装置
１３    板部材
１４    支持フレーム（大）
１５    支持フレーム（小）
１６    フランジ
１７    スライドピン
１８    固定片
１９    スライド片
２０    補助スライドレール
２１    補助スライド部
２２    壁部カバー
２３    欠損部（横変位時）
２４    欠損部（縦横変位時）
【図１】
2017043912.tif 000003
【図２】
2017043912.tif 000004
【図３】
2017043912.tif 000005
【図４】
2017043912.tif 000006
【図５】
2017043912.tif 000007
【図６】
2017043912.tif 000008
【図７】
2017043912.tif 000009
【図８】
2017043912.tif 000010
【図９】
2017043912.tif 000011
【図１０】
2017043912.tif 000012
【図１１】
2017043912.tif 000013
【図１２】
2017043912.tif 000014